(57)【要約】【課題】  磁気ディスクがコマンド入力なしに自動でアンロードすることによる信頼性の低下を抑制する。【解決手段】  情報処理装置は、データを記憶する磁気ディスクであって、コマンドを受信してから所定時間次のコマンドを受信しなければ磁気ヘッドをアンロードする自動アンロード機能を有する磁気ディスクと、前記磁気ディスクに対してデータの書き込み及び読み出し制御を行う制御手段と、を有する。前記制御手段は、前記制御手段が前記磁気ディスクに対して最後にコマンドを発行してからの経過時間が、前記所定時間よりも短い第１の時間になるのに従って、前記磁気ディスクに対して磁気ヘッドのロードを維持させるための所定のコマンドを発行する。【選択図】  図２
2016058122.tif 000002
【特許請求の範囲】
【請求項１】
データを記憶する磁気ディスクであって、コマンドを受信してから所定時間次のコマンドを受信しなければ磁気ヘッドをアンロードする自動アンロード機能を有する磁気ディスクと、
前記磁気ディスクに対してデータの書き込み及び読み出し制御を行う制御手段と、
前記制御手段が前記磁気ディスクに対して最後にコマンドを発行してからの経過時間を計時する第１の計時手段と、
を有し、
前記制御手段は、前記第１の計時手段により計時される経過時間が前記所定時間よりも短い第１の時間になるのに従って、前記磁気ディスクに対して磁気ヘッドのロードを維持させるための所定のコマンドを発行することを特徴とする情報処理装置。
【請求項２】
前記制御手段が前記磁気ディスクに対して、前記第１の計時手段により計時される経過時間が前記第１の時間になるのに従って発行する前記所定のコマンド以外のコマンドを最後に発行してからの経過時間を計時する第２の計時手段を有し、
前記制御手段は、前記第２の計時手段により計時される経過時間が、前記情報処理装置の設計寿命と前記磁気ディスクのロード／アンロード回数の上限値とに基づいて算出される第２の時間に達するまでは、前記第１の計時手段により計時される経過時間が前記第１の時間になる毎に前記磁気ディスクに対する前記所定のコマンドを発行し、前記第２の計時手段により計時される経過時間が前記第２の時間に達した後は、次にコマンドを発行するまで、前記第１の計時手段により計時される経過時間が前記第１の時間になっても前記所定のコマンドを発行しないことを特徴とする請求項１記載の情報処理装置。
【請求項３】
前記第２の時間は、前記情報処理装置の設計寿命を、磁気ディスクのロード／アンロード回数の上限値で除算した値よりも長い時間であることを特徴とする請求項２記載の情報処理装置。
【請求項４】
前記磁気ディスクのロード／アンロード回数を取得する取得手段を有し、
前記制御手段は、前記取得手段により取得したロード／アンロード回数が所定の閾値を超えたか否かに基づいて、前記所定のコマンドを発行するか否かを制御することを特徴とする請求項２又は３記載の情報処理装置。
【請求項５】
前記閾値は、前記磁気ディスクのロード／アンロード回数の上限値、前記情報処理装置の設計寿命、前記情報処理装置の使用開始時刻、及び前記現在時刻に基づいて算出される値であることを特徴とする請求項４記載の情報処理装置。
【請求項６】
前記所定のコマンドは、リードコマンドであることを特徴とする請求項１から５のいずれか１項に記載の情報処理装置。
【請求項７】
前記制御手段は、前記リードコマンドを所定回数発行する毎に、リードするアドレスを変更することを特徴とする請求項６記載の情報処理装置。
【請求項８】
前記情報処理装置は、プリント機能、スキャナ機能、の少なくともいずれか一つを有する画像処理装置であることを特徴とする請求項１から７のいずれか１項に記載の情報処理装置。
【請求項９】
データを記憶する磁気ディスクであって、コマンドを受信してから所定時間次のコマンドを受信しなければ磁気ヘッドをアンロードする自動アンロード機能を有する磁気ディスクと、前記磁気ディスクに対してデータの書き込み及び読み出し制御を行う制御部と、を有する情報処理装置の制御方法であって、
前記制御部は、前記制御部が前記磁気ディスクに対して最後にコマンドを発行してからの経過時間が、前記所定時間よりも短い第１の時間になるのに従って、前記磁気ディスクに対して磁気ヘッドのロードを維持させるための所定のコマンドを発行することを特徴とする制御方法。
【発明の詳細な説明】
【技術分野】
【０００１】
本発明は磁気ディスクを有する情報処理装置に関する。
【背景技術】
【０００２】
ハードディスクドライブ（ＨＤＤ）等、多くの磁気ディスクでは、ロード／アンロード方式が採用されている。「ロード」とは、回転しているディスク上に磁気ヘッドがあり、データの読み出し（リード）又は書き込み（ライト）をしている状態、あるいはリードやライト等の動作をすぐに行える状態にあることをいう。通常ＨＤＤに電源を入れると、磁気ヘッドはロード動作を行い、ＣＰＵからのコマンドを待つ。一方、「アンロード」とは、ディスクの回転を止め、磁気ヘッドをディスク上からランプと呼ばれる退避場所に退避させることをいう。アンロードは、ＨＤＤの電源をオフにするか、ＣＰＵからＨＤＤにスリープやスタンバイ等のコマンドを送信することで行うことができる。
【０００３】
ここで、ロードやアンロードの際に磁気ヘッドとランプが接触することで摩耗が生じる。摩耗が繰り返されると摩耗による部材のカスが発生し、それが磁気ヘッドやディスク等に付着することでとライトやリードが正常に実行できなくなってしまう可能性がある。そこで、各ＨＤＤメーカでは、信頼性を確保するため、ロード／アンロード回数に上限値を設けている。
【０００４】
また、このようなＨＤＤを採用する画像形成装置では、画像形成装置の設計寿命中にロード／アンロード回数が上限値を越えないように電力モードを制御しているものがある（特許文献１参照）。
【０００５】
一方、最近の磁気ディスク、具体的には２．５インチ型ＨＤＤの中には、ＣＰＵからアンロードさせるコマンドを受信しなくとも自動でアンロード（自動アンロード）するものが存在する。自動アンロードを行う理由は、主に次の２つである。
【０００６】
１つ目の理由は、ラップトップコンピュータ等のモバイル装置はバッテリーを電源として駆動するため、アンロードすることによりＨＤＤの消費電力を低減することが可能だからである。
【０００７】
２つ目の理由は、モバイル装置は駆動状態で持ち運べるため、落下や振動により衝撃を受けやすいが、アンロード状態であればＨＤＤの磁気ヘッドが退避しており、衝撃を受けても比較的安全だからである。
【先行技術文献】
【特許文献】
【０００８】
【特許文献１】特開２００５−１８６４２６
【発明の概要】
【発明が解決しようとする課題】
【０００９】
コスト削減の観点から、自動アンロード機能が搭載された磁気ディスクを画像形成装置にも採用することが考えられる。しかしながら、画像形成装置のような据え置き型の情報処理装置にとっては、自動でアンロードすることの効果は小さい。
【００１０】
上記特許文献１では、磁気ディスクが自動でアンロードする場合については考慮されていない。情報処理装置自身が管理しているロード／アンロード回数より実際のロード／アンロード回数が増加し、磁気ディスクのロード／アンロード回数の上限値を越えてしまう可能性がある。その結果、磁気ディスクの信頼性が低下し、情報処理装置の信頼性も低下してしまう。
【００１１】
本発明は、磁気ディスクがコマンド入力なしに自動でアンロードすることによる信頼性の低下を抑制することを目的とする。
【課題を解決するための手段】
【００１２】
上記課題を解決するため、本発明の情報処理装置は、
データを記憶する磁気ディスクであって、コマンドを受信してから所定時間次のコマンドを受信しなければ磁気ヘッドをアンロードする自動アンロード機能を有する磁気ディスクと、
前記磁気ディスクに対してデータの書き込み及び読み出し制御を行う制御手段と、
前記制御手段が前記磁気ディスクに対して最後にコマンドを発行してからの経過時間を計時する第１の計時手段と、
を有し、
前記制御手段は、前記第１の計時手段により計時される経過時間が前記所定時間よりも短い第１の時間になるのに従って、前記磁気ディスクに対して磁気ヘッドのロードを維持させるための所定のコマンドを発行することを特徴とする。
【発明の効果】
【００１３】
本発明によれば、磁気ディスクがコマンド入力なしに自動でアンロードすることによる信頼性の低下を抑制することができる。
【図面の簡単な説明】
【００１４】
【図１】第１の実施形態における情報処理装置のハードウェア構成を示すブロック図である。
【図２】第１の実施形態におけるＣＰＵの動作を表わすフローチャートである。
【図３】第２の実施形態における情報処理装置のハードウェア構成を示すブロック図である。
【図４】第２の実施形態におけるＣＰＵの動作を表わすフローチャートである。
【図５】第３の実施形態におけるＣＰＵの動作を表わすフローチャートである。
【図６】第３の実施形態におけるＣＰＵの動作を表わすフローチャートである。
【図７】磁気ディスクの構成を示す図である。
【発明を実施するための形態】
【００１５】
（第１の実施形態）
以下、本発明の実施の形態について図面を参照しながら説明する。
【００１６】
図１は本実施例における画像形成装置１００のハードウェア構成を示すブロック図である。
【００１７】
まず、画像形成装置１００の中心の機能となるコントローラ部１２０に関して説明する。１０１は、画像形成装置１００全体の制御を行うＣＰＵである。１１０は、リードオンリーメモリ（ＲＯＭ）であり、装置のブートプログラムや固定パラメータ等が格納されている。１１１は、ランダムアクセスメモリ（ＲＡＭ）であり、ＣＰＵ１０１が装置を制御する際に、一時的なデータの格納などに使用する。
【００１８】
１１２は、ハードディスクドライブ（ＨＤＤ）であり、画像データの格納など、様々なデータの格納に使用される磁気ディスクである。ＨＤＤ１１２の構成を図７に示す。
【００１９】
図７において、７０１はアルミニウムやガラス基板の上に磁性層を形成したディスクであり、この磁性層を磁化させることでデータを記録する。７０２は磁化されたディスク７０１上のデータのリードや、ディスク７０１を磁化させデータのライトを行う磁気ヘッドである。７０３は、磁気ヘッド７０２の退避場所であるランプである。ここで磁気ヘッド７０２がリードやライトのためにランプ７０３からディスク７０１上に移動することをロードと言い、反対に磁気ヘッド７０２がディスク７０１上からランプ７０３に移動することをアンロードと言う。
【００２０】
アンロードは、ＣＰＵ１０１からのコマンドの受信、具体的にはスタンバイやスタンバイ・イミディエイト、スリープの各コマンドの受信に応じて実行される。更に、本実施例におけるＨＤＤ１１２は、ＣＰＵ１０１からのコマンド受信以外にも、ロード後に一定の待機状態が継続した場合に自動的にアンロードする。すなわち、ＨＤＤ１１２は、ロードしてから所定時間コマンドを受信しない場合、もしくは最後にコマンドを受信してから所定時間次のコマンドを受信しない場合、自動的にアンロードする自動アンロード機能を有する。本実施例では、この自動でアンロードするまでの待機時間（自動アンロード移行時間）は１５秒とする。また、ＨＤＤ１１２は自己診断機能であるＳＭＡＲＴ情報を記録している。ＳＭＡＲＴには読み取りエラーの発生率や読み書き速度、磁気ヘッド７０２のロード／アンロード回数等が記録されている。
【００２１】
１１４は、コントローラ部１２０で生成した画像データを用紙に印刷するプリンタである。１１３は、画像データを送信しプリンタ１１４を制御するプリンタＩ／Ｆ制御部である。１０８は原稿を読み取るスキャナである。１０９は、スキャナ１０８で読み取った画像データを受信し、スキャナ１０８を制御するスキャナＩ／Ｆ制御部である。
【００２２】
１０２は、画像形成装置１００の各種設定値を保存するためのＳＲＡＭである。ＳＲＡＭ１０２は揮発性のメモリであるため、画像形成装置１００がオフの状態では図示しない電池によって電源を供給し、データを保持するためにバックアップを行っている。１０３は、時計機能や設定した時間に割り込みを発生することができるタイマーである。タイマー１０３は、ＣＰＵ１０１がＨＤＤ１１２に対して最後にコマンドを発行してからの経過時間を計時する。
【００２３】
１０５は、ネットワーク１１６とのデータの送受信を制御するネットワーク制御部である。１０６は、各種情報を表示したり、使用者からの指示を入力するオペレーションパネルである。１０７は、ＣＰＵ１０１、ＳＲＡＭ１０２、ネットワーク制御部１０５、スキャナＩ／Ｆ制御部１０９、ＲＯＭ１１０、ＲＡＭ１１１、ＨＤＤ１１２、プリンタＩ／Ｆ制御部１１３が接続されるバスである。またバス１０７は、ＣＰＵ１０１からの制御信号や各装置間のデータ信号が送受信されるシステムバスである。１１７は、ＣＰＵ１０１がオペレーションパネル１０６を制御するバスである。１１８は、ＣＰＵ１０１がタイマー１０３を制御するバスである。
【００２４】
次にＨＤＤ１１２を制御するＣＰＵ１０１の動作を図２のフローチャートを用いて説明する。
【００２５】
まずＣＰＵ１０１は、タイマー１０３を初期化する（Ｓ２０１）。具体的にはＨＤＤ１１２の自動アンロード移行時間の１５秒より少し短い１４秒を設定し、起動から１４秒後に割り込みが発生するよう設定する。
【００２６】
次にＣＰＵ１０１はＨＤＤ１１２に対するアクセスが発生したか否かを判断する（Ｓ２０２）。すなわち、ＨＤＤ１１２へのデータのリードコマンド又はライトコマンド等が発行されたか否かが判断される。Ｓ２０２でアクセスが発生したと判断された場合、ＣＰＵ１０１はタイマー１０３に対して起動をかける（Ｓ２０３）。
【００２７】
タイマー１０３を起動後、ＣＰＵ１０１はＨＤＤ１１２に対するアクセスが発生したか否かを判断する（Ｓ２０４）。Ｓ２０４でアクセスが発生したと判断された場合、ＣＰＵ１０１はタイマー１０３を停止し、さらにタイマー１０３クリアする（Ｓ２０５）。そしてＳ２０３に戻り、ＣＰＵ１０１は再度タイマー１０３を起動する。
【００２８】
Ｓ２０４でアクセスが発生していないと判断された場合、ＣＰＵ１０１はタイマー１０３による割り込みが発生したか否かを判断する（Ｓ２０６）。すなわち、ＨＤＤ１１２へのアクセスがないまま１４秒経過したか否かが判定される。Ｓ２０６で割り込みが発生したと判断された場合、ＣＰＵ１０１はＨＤＤ１１２に対してリードコマンドを発行し（Ｓ２０７）、その後Ｓ２０５に遷移する。Ｓ２０６で割り込みが発生していないと判断された場合は、Ｓ２０４に戻る。
【００２９】
以上説明したように、ＣＰＵ１０１は、ＨＤＤ１１２が自動でアンロードする直前にダミーのリードコマンドを発行することで、自動アンロード動作を回避することができる。これにより、ＨＤＤ１１２の信頼性の低下を抑制することが可能となる。
【００３０】
（第２の実施形態）
第１の実施形態では、ＨＤＤ１１２に電源投入状態にあるときは常に自動アンロードを回避する例について説明した。本実施形態では、画像形成装置の設計寿命を考慮し、必要な時間だけ自動アンロードを回避する例について説明する。具体的には、画像形成装置の設計寿命中にＨＤＤ１１２のロード／アンロード回数が上限値を越えないように自動アンロード動作の回避制御を実施するものである。これにより、ＣＰＵ１０１の負荷を減らしつつ、ＨＤＤ１１２の信頼性の低下を抑制することができる。
【００３１】
本実施例では、画像形成装置の設計寿命を５年、ＨＤＤ１１２のロード／アンロード回数の上限値を６０万回とする。この場合、平均でロード１回あたり４．３８分（＝５年÷６０万回）間ロード状態を保持すれば良いこととなる。従って、第１の実施形態で説明した自動アンロード動作の回避制御は最低でも４．３８分だけ継続するだけで良く、それを超えると自動アンロードを行っても構わない。
【００３２】
本実施形態における画像形成装置１００のハードウェア構成を示すブロック図を図３に示す。図１との違いは、タイマー１０３に加えて、タイマー３０３を設けた点のみであり、それ以外の構成は同じであるため、説明を省略する。タイマー３０３は、ＣＰＵ１０１がＨＤＤ１１２に対して自動アンロードを回避するためのリードコマンド以外のコマンドを最後に発行してからの経過時間を計時する。
【００３３】
続いて、ＨＤＤ１１２を制御するＣＰＵ１０１の動作を図４のフローチャートを用いて説明する。図２と同じ処理に関しては同符号を付している。
【００３４】
まずＣＰＵ１０１は、タイマー１０３を初期化する（Ｓ２０１）。具体的にはＨＤＤ１１２の自動アンロード移行時間の１５秒より少し短い１４秒を設定し、起動から１４秒後に割り込みが発生するよう設定する。次にＣＰＵ１０１は、タイマー３０３を初期化する（Ｓ４０１）。具体的には、設計寿命５年をＨＤＤ１１２のロード／アンロード回数の上限値６０万回で除算した４．３８分より少し長い５分を設定し、起動から５分後に割り込みが発生するよう設定する。
【００３５】
次にＣＰＵ１０１はＨＤＤ１１２に対するアクセスが発生したか否かを判断する（Ｓ２０２）。Ｓ２０２でアクセスが発生したと判断された場合、ＣＰＵ１０１はタイマー３０３に対して起動をかける（Ｓ４０２）と共に、タイマー１０３に対しても起動をかける（Ｓ２０３）。
【００３６】
次にＣＰＵ１０１はＨＤＤ１１２に対するアクセスが発生したか否かを判断する（Ｓ２０４）。Ｓ２０４でアクセスが発生したと判断された場合、ＣＰＵ１０１はタイマー１０３をクリアし（Ｓ２０５）、Ｓ２０３に戻る。Ｓ２０４でアクセスが発生しない場合は、ＣＰＵ１０１はタイマー１０３が１４秒経過して割り込みを発生しているか否かを判断する（Ｓ２０６）。Ｓ２０６で割り込みが発生していると判断された場合、ＣＰＵ１０１はＨＤＤ１１２に対してリードコマンドを発行し（Ｓ２０７）、その後Ｓ２０５に遷移する。Ｓ２０６でタイマー１０３による割り込みが発生していない場合、ＣＰＵ１０１はタイマー３０３が５分経過して割り込みを発生しているか否かを判断する（Ｓ４０３）。Ｓ４０３で割り込みが発生していないと判断されていない場合、Ｓ２０４に戻る。すなわち、ＨＤＤ１１２へのアクセスが発生するか、タイマー１０３、３０３による割り込みが発生するかをＣＰＵ１０１は監視する。
【００３７】
またＳ４０３で割り込みが発生したと判断された場合、ＣＰＵ１０１はタイマー３０３をクリアし（Ｓ４０４）、Ｓ２０２に戻る。よって、これ以降次にＨＤＤ１１２に対するアクセスが発生するまでは、自動アンロード動作の回避制御は実行しない。
【００３８】
以上説明したように、本実施形態によれば、画像形成装置の設計寿命を考慮し、ＨＤＤ１１２の自動アンロード動作の回避制御を一定時間に限定することでＣＰＵ１０１の負荷を低減しつつ、ＨＤＤ１１２の信頼性の低下を抑制することが可能となる。
【００３９】
（第３の実施形態）
画像形成装置１００の使用状態によってＨＤＤ１１２へのアクセス頻度は異なる。稼働率の低い画像形成装置ではＨＤＤ１１２へのアクセスも少ないので、ロード／アンロード回数の増加速度は遅い。従って、ロード／アンロード回数が残りの設計寿命に対して少ない場合は、ＨＤＤアクセスの度に自動アンロード動作を回避する必要はない。よって本実施形態では、ロード／アンロード回数を考慮して自動アンロード動作の回避制御を行うことにより、ＣＰＵ１０１の負荷を減らす例について説明する。本実施形態における画像形成装置１００のハードウェア構成は実施例２の図３と同様であるため、説明を省略する。
【００４０】
本実施形態におけるＣＰＵ１０１の動作を図５のフローチャートを用いて説明する。なお、図４との差異は、新たにＳ５０１〜Ｓ５０３の処理が加わった点のみである。
【００４１】
ＣＰＵ１０１は、Ｓ２０２でＨＤＤ１１２に対するアクセスが発生したと判断したら、ＨＤＤ１１２に格納されているＳＭＡＲＴ情報にアクセスし、現在のロード／アンロード回数を取得する（Ｓ５０１）。そして自動アンロードの回避を行うか否かの判定に用いる閾値を計算する（Ｓ５０２）。
【００４２】
ここでＳ５０２におけるＣＰＵ１０１の動作を図６のフローチャートを用いて説明する。
【００４３】
図６において、ＣＰＵ１０１はタイマー１０３から現在時刻（Ｎ分）を取得する（Ｓ６０１）。次にＣＰＵ１０１は画像形成装置を最初に使用した使用開始時刻（Ｓ分）をＳＲＡＭ１０２から取得する（Ｓ６０２）。この使用開始時刻は、画像形成装置が最初に起動されたときにＣＰＵ１０１がタイマー１０３から時刻を取得してＳＲＡＭ１０２に格納したものである。
【００４４】
次にＣＰＵ１０１は閾値（ＴＨ）を次式（１）より算出し（Ｓ６０３）、処理を終了する。
ＴＨ＝ＵＬｍａｘ−（Ｌ＋Ｓ−Ｎ）／Ｔ  ・・・式（１）
ＵＬｍａｘ：ＨＤＤ１１２のロード／アンロード回数の上限値
Ｌ：画像形成装置１００の設計寿命（分）
Ｓ：使用開始時刻（分）
Ｎ：現在の時刻（分）
Ｔ：タイマー３０３への設定時間（分）
図５の説明に戻る。ＣＰＵ１０１はＳ５０１で取得した現在のロード／アンロード回数とＳ５０２で算出した閾値とを比較し、現在のロード／アンロード回数が閾値よりも大きいか否かを判定する（Ｓ５０３）。
【００４５】
現在のロード／アンロード回数が閾値よりも大きい場合、Ｓ４０２以降のステップへ遷移し、第２の実施形態で説明したような自動アンロード動作の回避制御を実行する。
【００４６】
Ｓ５０３において、現在のロード／アンロード回数が閾値よりも小さいと判定された場合、Ｓ２０２へ戻り、自動アンロード動作の回避制御を実行しない。
【００４７】
以上説明したように、本実施形態ではＨＤＤ１１２のロード／アンロード回数が算出した閾値に達していない場合は自動アンロード動作の回避制御を実行せず、閾値に達している場合に自動アンロード動作の回避制御を実行する。このように、稼働率の低い画像形成装置では自動アンロード動作の回避制御を行わないようにすることにより、ＣＰＵ１０１の負荷をさらに低減することができる。
【００４８】
（他の実施形態）
上述の各実施形態では、ＨＤＤ１１２の自動アンロード動作を回避するために、ダミーのリードコマンドを発行した。ここで、そのリードするアドレスが固定であると磁気ヘッド７０２が常にディスク７０１上の同じ場所に位置するため、ディスク７０１上に塗られた潤滑剤に轍が発生し、均一性が損なわれてしまう。するとリードやライトが正常に実行できないというような不具合が発生しやすくなってしまう。そこで、ダミーのリードコマンドを発行する際にリードするアドレスを可変にしてもよい。例えば、図２、図４、図５のＳ２０７においてリードコマンドを発行する際に毎回リードコマンドを変更するようにしても良いし、同じリードアドレスに対してリードコマンドを所定回数発行したらリードアドレスを他のアドレスに変更するようにしてもよい。
【００４９】
このように、ＣＰＵ１０１がＨＤＤ１１２に対して発行するリードコマンドのアドレスを可変にすることで、磁気ヘッド７０２がディスク７０１上の同じ場所に位置しなくなるため潤滑剤の均一性が保持でき、不具合の発生を抑制することが可能となる。
【００５０】
また、上記各実施形態では、タイマー１０３、３０３を独立したものとして説明したが、ＣＰＵ１０１に内蔵されたタイマー機能であっても良い。
【００５１】
また、上記各実施形態において、ＣＰＵ１０１は、ＨＤＤ１１２の自動アンロード動作を回避するためにリードコマンドを発行するものとして説明したが、ロード状態を維持ためのコマンドであれば、他のコマンドを用いてもよい。例えばライトコマンドやＳＭＡＲＴ読み出しコマンド等でも構わない。但し、ライトコマンドの場合、そのライトアドレスは未使用領域とする必要がある。
【００５２】
また、上記各実施形態では、プリント機能、及びスキャナ機能を有する画像形成装置を例に説明したが、他の機能を備えていてもよいし、これら複数の機能のうち、一部の機能を有する画像処理装置であっても構わない。また、映像の録画を行うハードディスクレコーダー等の映像記録機器など、他の情報処理装置に適用することも可能である。
【００５３】
そして、本発明は、以下の処理を実行することによっても実現される。即ち、上述した実施形態の機能を実現するソフトウェア（プログラム）をネットワーク又は各種記憶媒体を介してシステム或いは装置に供給し、そのシステム又は装置のコンピュータ（又はＣＰＵやＭＰＵ等）がプログラムコードを読み出して実行する処理である。この場合、そのプログラム、及び該プログラムを記憶した記憶媒体は本発明を構成することになる。
【符号の説明】
【００５４】
１０１  ＣＰＵ
１０２  ＳＲＡＭ
１０３、３０３  タイマー
１１２  ＨＤＤ
７０１  ディスク
７０２  磁気ヘッド
【図１】
2016058122.tif 000003
【図２】
2016058122.tif 000004
【図３】
2016058122.tif 000005
【図４】
2016058122.tif 000006
【図５】
2016058122.tif 000007
【図６】
2016058122.tif 000008
【図７】
2016058122.tif 000009